(57)【要約】  【課題】  EVF装置の表示タイムラグを考慮した上でユーザの目に与えるストレスを軽減する。  【解決手段】  被写体映像を電子ビューファインダー装置に表示する第１表示手段と、被写体映像を背面液晶画面に表示する第２表示手段と、前記電子ビューファインダー装置への接眼を検知する接眼検知手段と、前記第１表示手段の表示輝度を切り替える輝度切替手段と、測光値に応じてレンズの絞り値を変えレンズを絞る絞り手段と、前記絞り値に応じて前記第１表示手段の表示輝度を上げる割合を決定する輝度ゲイン決定手段と、前記第１表示手段の表示輝度を任意に設定できる輝度設定手段とを有している。接眼を検知した後、前記第１表示手段の表示輝度を最小輝度から前記輝度設定手段により設定された輝度まで前記輝度ゲインに応じて徐徐に上げていく。【選択図】  図１
2018085666.tif 000002
【特許請求の範囲】
【請求項１】
被写体映像を電子ビューファインダー装置に表示する第１表示手段と、
被写体映像を背面液晶画面に表示する第２表示手段と、
前記電子ビューファインダー装置への接眼を検知する接眼検知手段と、
前記第１表示手段の表示輝度を切り替える輝度切替手段と、
測光値に応じてレンズの絞り値を変えレンズを絞る絞り手段と、
前記絞り値に応じて前記第１表示手段の表示輝度を上げる割合を決定する輝度ゲイン決定手段と、
前記第１表示手段の表示輝度を任意に設定できる輝度設定手段と、を有し、
接眼を検知した後、前記第１表示手段の表示輝度を最小輝度から前記輝度設定手段により設定された輝度まで前記輝度ゲインに応じて徐徐に上げていくことを特徴する撮像装置。
【請求項２】
被写体映像の出力先を第１あるいは第２表示手段へ切り替える出力先切替手段を有し、
接眼を検知した後、前記第２表示手段から第１表示手段へと切り替えることを特徴とする請求項１に記載の撮像装置。
【請求項３】
前記電子ビューファインダー装置は、接眼を検知してから第１表示手段に被写体映像を出力するまでの期間として所定のタイムラグをもち、この期間は電子ビューファインダー内は暗い状態であることを特徴とする請求項１に記載の撮像装置。
【請求項４】
前記輝度ゲイン決定手段により決定される輝度ゲイン値は、レンズの絞り値に応じて決定され、明るい環境下では暗い環境下に比べて小さい値となることを特徴とする請求項１に記載の撮像装置。
【請求項５】
撮影に関わる操作を行う撮影操作手段と、
前記撮影操作手段を検出する撮影操作検出手段と、
撮影操作を伴った接眼操作時の輝度ゲインを決定する撮影輝度ゲイン手段と、
撮影操作を伴った接眼操作時の輝度を設定する撮影輝度手段と、を有し、
接眼を検知した時に、撮影操作を検出した場合には、前記撮影輝度ゲイン手段により決定されたゲイン値に応じて前記撮影輝度手段により決定された輝度まで表示輝度を上げることを特徴とする請求項１に記載の撮像装置。
【請求項６】
撮影輝度ゲイン手段により決定された輝度ゲイン値は、前記輝度ゲイン決定手段により決定された値より大きな値となることを特徴とする請求項５に記載の撮像装置。
【請求項７】
前記撮影操作手段は、レリーズスイッチの半押しや全押し操作、レンズ絞り込み操作、ズーム操作、フォーカス操作の撮影動作に関わるものであることを特徴とする請求項５に記載の撮像装置。
【発明の詳細な説明】
【技術分野】
【０００１】
本発明は撮像装置に関する。
【背景技術】
【０００２】
近年、ミラーレスタイプやコンパクトタイプのデジタルカメラには、被写体を確認する表示部材としてカメラの背面に搭載される背面液晶に加えて電子ビューファインダー（以下EVF装置）を搭載するものが登場している。背面液晶は表示部材が大きく構図を確認する上で効果がある一方明るい環境下では見えずらいという点がある。EVF装置は、明るい環境下で被写体を視認する上で効果が大きい。
【０００３】
このため、ユーザーは被写体のシーンに応じて背面液晶により撮影操作を行ったり、EVF装置により撮影操作を行ったりして、表示部材を使い分けて使用している。また、人の目は明るい環境下と暗い環境下において瞳孔を開閉することで、光量を調整する機能をもっており、急激な明るさの変化により目に与えるストレスが眼精疲労の一因となる。
【０００４】
また、EVF装置には接眼検知センサーが搭載されており、人がEVF装置に接眼した場合に背面液晶の表示を消灯してEVF装置の表示へ切り替えるように動作させているデジタルカメラがある。
【０００５】
このような状況において、例えば特開2004-140736で提案されているように、人の目に与えるストレスを低減するように環境光に応じてEVF輝度を調整する、といったものがある。
【先行技術文献】
【特許文献】
【０００６】
【特許文献１】特開2004-140736号公報
【発明の概要】
【発明が解決しようとする課題】
【０００７】
人がEVF装置に接眼してからEVF装置内の表示部にライブビュー映像が出力されるまでにはタイムラグがあり、接眼後しばらくの間は暗いものを見ることになる。このため、人が明るい環境下からEVF装置を覗く動作をした場合、人の目は明るい→暗い→明るいものを見ることになり、瞳孔は短時間の間に閉→開→閉という動作となる。
【０００８】
そこで、本発明は、EVF装置の表示タイムラグを考慮した上でユーザに与えるストレスを軽減することである。
【課題を解決するための手段】
【０００９】
撮像装置は、被写体映像を電子ビューファインダー装置に表示する第１表示手段と、被写体映像を背面液晶画面に表示する第２表示手段と、前記電子ビューファインダー装置への接眼を検知する接眼検知手段と、前記第１表示手段の表示輝度を切り替える輝度切替手段と、測光値に応じてレンズの絞り値を変えレンズを絞る絞り手段と、前記絞り値に応じて前記第１表示手段の表示輝度を上げる割合を決定する輝度ゲイン決定手段と、前記第１表示手段の表示輝度を任意に設定できる輝度設定手段とを有し、接眼を検知した後、前記第１表示手段の表示輝度を最小輝度から前記輝度設定手段により設定された輝度まで前記輝度ゲインに応じて徐々に上げていく。
【発明の効果】
【００１０】
本発明によれば、EVF装置での撮影動作時にユーザの目に与える明るさの変化によるストレスを軽減することができる。
【図面の簡単な説明】
【００１１】
【図１】撮像装置の外観図である。
【図２】撮像装置のブロック図である。
【図３】第１の実施の形態の手順を示すフローチャートである。
【図４】第２の実施の形態の手順を示すフローチャートである。
【図５】第１の実施の形態に係る説明図である。
【図６】第１、２の実施の形態に係る説明図である。
【図７】第２の実施の形態に係る説明図である。
【発明を実施するための形態】
【００１２】
以下、図面を参照して本発明の好適な実施形態を説明する。図１に本発明の撮像装置の一例としてのデジタルカメラの外観図を示す。表示部２８は画像や各種情報を表示する表示部である。シャッターボタン６１は撮影指示を行うための操作部である。モードダイアル６０は各種モードを切り替えるための操作部である。コネクタ１１２は接続ケーブル１１１とデジタルカメラ１００とのコネクタである。
【００１３】
操作部７０はユーザーからの各種操作を受け付ける各種スイッチ、ボタン、タッチパネル等の操作部材より成る操作部である。コントローラーホイール７３は操作部７０に含まれる回転操作可能な操作部材である。７２は電源スイッチであり、電源オン、電源オフを切り替える。記録媒体２００はメモリカードやハードディスク等の記録媒体である。
【００１４】
記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。１１３はストロボ装置である。４００はレンズ装置である。２９はEVF装置であり、画像や各種情報を表示するEVF表示部である。
【００１５】
図２は、本実施形態によるデジタルカメラ１００の構成例を示すブロック図である。図２において、シャッター１０１は撮像素子への露光制御を行っている。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１６】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。
【００１７】
これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００２０】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２１】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。システムタイマー５３は各種制御に用いる時間や、内蔵された時計の時間を計測する計時部である。
【００２２】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。
【００２３】
モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。
【００２４】
同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２５】
第２シャッタースイッチ６２は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２６】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２７】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。
【００２８】
例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３１】
ストロボ装置３００は、デジタルカメラ１００に着脱可能に装着されるストロボである。ストロボ制御部３０１は、例えばＣＰＵであり、カメラ制御部５０からI/F３３を介して入力される指示によって、ストロボ３００の各ブロックの動作を制御する。具体的には、ストロボシステム制御部３０１は、発光量の制御や発光時間、発光照射角の制御等を行う。発光部３０４は、ストロボシステム制御部３０１が指示した電圧でストロボを発光する。
【００３２】
レンズ装置４００は、着脱可能なレンズユニットであり、ズームレンズ、フォーカスレンズ、防振レンズ、絞り羽を含むレンズ群である。レンズ制御部４０１は、例えばＣＰＵであり、カメラ制御部５０からI/F３４を介して入力される指示によって、レンズの各ブロックを制御する。具体的には、レンズ制御部４０１は、ズームレンズの制御、フォーカスレンズの制御、防振レンズの制御、絞り羽の制御を行う。
【００３３】
センサー部９０の各種センサー部品は、撮像装置の内部や外部の物理量を検出して信号に変える装置である。例えば、温度センサー、姿勢センサー、加速度センサー、接眼センサーなどがある。例えば温度センサーは、システム制御部５０から要求を受信すると、現在の温度データをシステム制御５０へ送信する。さらに、例えば接眼センサーは、周期的に接眼検出処理を行い、接眼を検知すると検知信号をシステム制御５０へ送信する。
【００３４】
以下、図３〜図７を参照して、本発明の各実施例の動作を説明する。
＜第１の実施形態＞
実施例１では、EVF装置への接眼操作において、EVF輝度を所定の輝度へ徐々に上げていく例を述べる。
【００３５】
図３は、実施例１における所定のEVF輝度にする処理のフローチャートである。このフローチャートにおける各処理は、システム制御部５０が不揮発性メモリ５６に格納されたプログラムをシステムメモリ５２に展開して実行することにより実現される。
【００３６】
ステップＳ１０１では、システム制御部５０は、接眼センサー９０の信号検出いわゆる接眼検出を行う。ユーザーがEVF装置２９へ接眼したことを検出すると、処理をステップＳ１０２へ移行する。ステップＳ１０２では、システム制御部５０は、EVF装置２９の電源をオンし通信処理などの初期化処理を行う。処理をステップＳ１０３へ移行する。
【００３７】
ここで、EVF装置への接眼時のタイムラグについて述べる。本発明に係るEVF装置は、ユーザの接眼動作からEVFがライブビュー出力するまでのタイムラグをもつ。具体的には、接眼信号のチャタ取り処理や、EVF装置の初期化処理や初期通信の確立までの時間やEVF出力ライブビュー生成処理である。これらの処理によるタイムラグは３００ｍｓ程度あり、接眼してからこのタイムラグ期間はEVF内は暗くライブビュー映像は表示されない。
【００３８】
ステップＳ１０３では、システム制御部５０は、レンズ用システム制御部４０１と通信を行いレンズの絞り量Ｆ値を取得し。処理をステップＳ１０４へ移行する。
【００３９】
ここで、レンズの絞り量F値について述べる。撮像素子２２を用いて測光をおこなうデジタルカメラ１００は、撮影待機状態であるライブビュー表示中において、外光の明るさに応じてレンズ４０２の絞り羽を開閉して光量を調節する。つまり、外光が明るい場合にはレンズの絞り羽を閉じるように制御する（この時の絞り量Ｆ値は大きい）。逆に外光が暗い場合にはレンズの絞り羽を開くように制御する（この時の絞り量Ｆ値は小さい）。
【００４０】
ステップＳ１０４では、システム制御部５０は、ステップＳ１０３で取得したＦ値に応じてEVF装置２９のEVF輝度のゲイン係数Ｋを決定する。またEVF輝度Ｂの初期値は０とする。処理をステップＳ１０５へ移行する。
【００４１】
ここで、EVF輝度のゲイン係数Ｋについて述べる。本発明に係るEVF装置は、ユーザの接眼を検知した後、所定の輝度ゲインＫに応じて輝度を上げていき、ユーザがメニューなどで設定したEVF輝度Ｂｒになるように制御する。ゲインＫは、前記レンズの絞り量Ｆに応じて決定し、外光が明るい場所の場合は、暗い場所に比べて小さい値となる。
【００４２】
ここで人間の瞳の特性について述べる。人間の瞳は、瞳孔により外光量を調整する。明るい場所では瞳孔を閉じるように動き、暗い場所では瞳孔を開くように動いている。例えば、人間が明るい場所でEVF装置２９に接眼する動作を行うと、明るい→暗いものを見ることになり、その後EVF装置のバックライトが点灯しライブビュー表示が出力されると、暗い→明るいものを見ることになる。この場合、人間は明るい→暗い→明るいものを短い期間に連続して見ることになり、瞳孔が激しく開閉動作することになる。これにより瞳へのストレスが大きくなりEVF撮影による疲労の一因となる。
【００４３】
ステップＳ１０５では、システム制御回路５０は、EVF装置２９のライブビュー出力表示をオンするように要求を送信する。EVF装置２９は、輝度Ｂでバックライトを点灯する。処理をステップＳ１０６へ移行する。
【００４４】
ステップＳ１０６では、システム制御部５０は、ＬＣＤ表示部２８に対し、LCDバックライトをオフするように要求する。さらにシステム制御部５０は、メモリ制御部１５に対してライブビュー信号を、EVF表示部２９へ送信するさらにLCD表示部２８へは送信を停止する。ライブビュー信号をオフして、処理をステップＳ１０７へ移行する。
【００４５】
ステップＳ１０７では、ステップＳ１０１と同様に、システム制御部５０は、接眼センサー９０の信号検出いわゆる接眼検出を行う。ユーザーがEVF装置２９へ接眼したことを検出すると、処理をステップＳ１０８へ移行する。ユーザーがEVF装置２９から眼を離したことを検出すると、処理をステップＳ１１１へ移行する。
【００４６】
ステップＳ１０８では、システム制御部５０は、同一のEVF輝度で動作した時間Δtを計時して、EVF輝度を切り替える所定の時間と比較する。Δtが前記所定の時間を経過した場合は、処理をステップＳ１０９へ移行する。ステップＳ１０９では、システム制御部５０は、前記輝度ゲインＫと前記経過時間ΔtによりEVF輝度Ｂを算出する（例えばB+(K×Δt)）。システム制御部５０は、EVF装置２９の輝度が前記EVF輝度Ｂとなるように要求する。EVF装置２９は、EVFバックライトが前記EVF輝度Ｂで動作するように処理する。処理をステップＳ１１０へ移行する。
【００４７】
ステップＳ１１０では、システム制御部５０は、前記ユーザ設定輝度Ｂｒと前記EVF輝度Ｂを比較する。前記EVF輝度Ｂの方が大きい場合は、EVF装置２９はEVF輝度を保持してEVF輝度切替処理を終了する。前記EVF輝度Ｂの方が小さい場合は、処理をステップ１０７へ移行する。ステップＳ１１１では、システム制御部５０は、EVF装置２９のライブビュー出力表示を停止するように要求する。EVF装置２９は、EVFバックライトを消灯する。処理をステップＳ１１２へ移行する。
【００４８】
ステップＳ１１２では、システム制御部５０は、ＬＣＤ表示部２８に対しLCDバックライトをオンするように要求する。さらにシステム制御部５０は、メモリ制御部１５に対してライブビュー信号を、EVF表示部２９へ送信を停止しさらにＬＣＤ表示部２８へ送信する。処理を終了する。
【００４９】
ここで、本発明の第１実施形態における、ユーザがＥＶＦ装置に接眼してからの時間tとEVF輝度Ｂの関係について説明する。図５は、時間ｔとEVF輝度Ｂとの関係を示す図であり、横軸は時間ｔを示し、縦軸はEVF輝度Ｂを示している。さらに「接眼状態」は接眼動作のタイミングをHiとして示し、「EVF表示状態」はEVF表示が出力されるタイミングをHiとして示している。
【００５０】
図に示すように、ユーザが接眼したタイミングT0からEVF表示が出力されるタイミングT1までの期間に表示タイムラグがあり、T1のタイミングから徐徐にEVF輝度Ｂを上げるように処理している。EVF輝度は輝度ゲインに応じて上げていき、例えばゲインKa、Kb、Kcでの動作例を示している。前記輝度ゲインはレンズの絞り値により決定し、この決定方法は後述する。
【００５１】
図６は、レンズの絞り値Fと輝度ゲインKとの関係を示す図であり、横軸はレンズの絞り値Fを示し、縦軸は輝度ゲインKを示している。ところで、撮影待機中にライブビュー表示する撮像装置は、周期的に撮像部２２が測光処理を行っており、レンズの絞りを調整しながら外光を調整する。外光が明るい場合はレンズ絞りを閉じるように処理し、外光が暗い場合はレンズ絞りを開くように処理する。絞り値F値で言いかえると、明るい場合は大きい値として処理し、暗い場合は小さい値として処理する。
【００５２】
図に示すように、輝度ゲインKは絞り値に比例して決定する。明るい環境下では、暗い環境下に比べて小さい輝度ゲインKとなるように決定する（例えば、明るい時：Kc＜暗い時：Ka）。
【００５３】
このように、EVF装置への接眼時間ｔとEVF輝度Bとの関係は、ユーザーが明るい環境下でEVFを覗いた場合には、EVF輝度Bは輝度ゲインKcを係数として時間の経過ｔに比例し少しずつ上げていくように処理する。また、ユーザが暗い環境下でEVFを覗いた場合には、EVF輝度Bは輝度ゲインKaを係数として時間の経過ｔに比例しやや大きく上げていくように処理する。
【００５４】
以上のように、実施例１によれば、EVF装置を覗いた時の明るさの変化に伴う目に与えるストレスを軽減することができる。
【００５５】
また、輝度ゲインはレンズの絞り値に応じて切り替えるため、測光値から算出する場合に比べて容易に決定でき、CPUによる算出処理時間が短縮でき、応答性も改善できる。また、ユーザーは明るい環境下からEVFを覗いて一旦暗くなったあとで、ゆっくりと明るい状態へ変化していくので、明るい→暗い→明るい変化に対して一気に輝度を上げて明るくする場合に比べて目に与えるストレスを軽減できる。
【００５６】
また、ユーザーは暗い環境下からEVFを覗いてややゆっくりと明るい状態へ変化していくので、暗い→暗い→明るい変化に対して一気に輝度を上げる場合に比べて目に与えるストレスを軽減できる。さらに、明るい環境下からEVF装置に接眼した場合に比べて、明るい→暗い変化における目に与えるストレスが少ない点を活かして、設定EVF輝度Brになるまでの時間を短縮できる。
【００５７】
＜第２の実施形態＞
実施例２では、EVF装置への接眼操作において、撮影操作の有無に応じて、EVF輝度を所定の輝度へ徐々に上げていく例を述べる。
【００５８】
図４は実施例２における撮影操作の有無に応じて所定のEVF輝度にする処理のフローチャートである。このフローチャートにおける各処理は、システム制御部５０が不揮発性メモリ５６に格納されたプログラムをシステムメモリ５２に展開して実行することにより実現される。
【００５９】
なお、図４のステップＳ２０１〜Ｓ２１２は、実施例１で説明した図３のステップＳ１０１〜Ｓ１１２と同様の処理であるため説明を省略する。
【００６０】
ステップＳ２１３では、撮影操作の有無を検知する。システム制御部５０は、操作部７０およびシャッターボタン６１および６２の操作状態を検出する。例えば、シャッターボタン６１の信号検出いわゆるレリーズボタンの半押し検出を行う。あるいは、絞り込みボタンの信号検出を行う。このような撮影に関わる操作を検出した場合は、処理をステップＳ２１４へ移行する。撮影に関わる操作が検出されなかった場合は、処理をステップＳ２０２へ移行する。
【００６１】
ステップＳ２１４では、撮影操作時のEVF輝度ゲインを決定する。システム制御部５０は、EVF輝度ゲインKの値を撮影操作用の所定の輝度ゲインKsにする。処理をステップＳ２１５へ移行する。ステップＳ２１５では、撮影操作時のEVF輝度を決定する。システム制御部５０は、EVF輝度Ｂを撮影操作用の所定の輝度Ｂｓにする。処理をステップＳ２０５へ移行する。
【００６２】
ステップＳ２１６では、ステップＳ２１３と同様な処理を行う。撮影操作の有無を検知する。システム制御部５０は、操作部７０およびシャッターボタン６１および６２の操作状態を検出する。撮影に関わる操作を検出した場合は、処理をステップＳ２１４へ移行する。撮影に関わる操作が検出されなかった場合は、処理をステップＳ２０７へ移行する。
【００６３】
ここで、本発明の第２実施形態における、ユーザが撮影操作状態でEVF装置に接眼してからの時間ｔとEVF輝度Ｂの関係について説明する。図７は、時間ｔとEVF輝度Ｂとの関係を示す図であり、横軸は時間ｔを示し、縦軸はEVF輝度Ｂを示している。さらに「接眼状態」は接眼動作のタイミングをHiとして示し、「EVF表示状態」はEVF表示が出力されるタイミングをHiとして示し、「絞り込みボタン」は絞り込みボタンが押されている状態をHiとして示している。
【００６４】
図に示すように、ユーザが接眼したタイミングT0からEVF表示が出力されるタイミングT1までの期間に表示タイムラグがあり、T1のタイミングから撮影操作用の輝度ゲインKsを係数として撮影操作用EVF輝度Bsまで輝度を上げる。またT2は絞り込みボタンが離されたタイミングである。T2のタイミングからはEVF輝度は輝度ゲインKに応じて上げていき、例えばゲインKa、Kb、Kcでの動作例を示している。
【００６５】
このように、ユーザーが撮影操作状態でEVF装置へ接眼した場合の接眼時間ｔとEVF輝度Bとの関係は、撮影操作中では素早く撮影操作用EVF輝度Bsに点灯し、撮影操作が完了したタイミングからレンズ絞り値に応じて決定したEVF輝度ゲインKに応じてEVF輝度を上げていくように処理される。
【００６６】
以上のように、実施例２によれば、明るさの変化による目へのストレスを軽減しつつ、EVF輝度を素早く明るくすることで撮影操作がより改善できる。また、撮影操作に連動してEVF輝度を維持するため、撮影操作途中にEVF輝度が変更されることが無く、ユーザの操作性は維持できる。
【００６７】
以上説明したように、本発明によれば、ユーザーがEVF装置を覗いたときの明るさの変化による目へのストレスを軽減することができる。また、ユーザーが撮影操作をしながらEVF装置を覗いた時にも、目へのストレスを軽減しつつ撮影操作性を維持できる。また、EVF接眼前の外光により輝度変化量を変えることで、目に与えるストレスを軽減しつつEVF設定輝度になるまでの時間を短くできる。
【００６８】
なお、上述した実施の形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。
【００６９】
この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００７０】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【００７１】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【符号の説明】
【００７２】
２８  表示部
６１  シャッターボタン
６０  モードダイアル
１１２  コネクタ
１１１  接続ケーブル
１００  デジタルカメラ
【図１】
2018085666.tif 000003
【図２】
2018085666.tif 000004
【図３】
2018085666.tif 000005
【図４】
2018085666.tif 000006
【図５】
2018085666.tif 000007
【図６】
2018085666.tif 000008
【図７】
2018085666.tif 000009